【手続補正書】
【提出日】平成19年8月30日(2007.8.30)
【手続補正１】
【補正対象書類名】明細書
【補正対象項目名】発明の名称
【補正方法】変更
【補正の内容】
【発明の名称】印刷装置、制御方法、及び記憶媒体
【手続補正２】
【補正対象書類名】明細書
【補正対象項目名】特許請求の範囲
【補正方法】変更
【補正の内容】
【特許請求の範囲】
【請求項１】  画像情報に基づき用紙上に印刷を行うとともに、指定された印刷モードで特定される処理を前記用紙に対して行う印刷部と、
前記印刷部へ給紙する用紙が装填される複数の給紙段と、
前記複数の給紙段のそれぞれに装填されている用紙の種類を示す情報を記録した用紙種記録手段と、
前記用紙種記録手段から得た情報を基に、前記印刷モードで指定される処理をどの給紙段に装填されている用紙に対して実行できるかを判断する処理可否判断手段と、
現在使用中の給紙段が用紙無しになった場合に、前記処理可否判断手段により前記印刷モードで指定される処理を実行可能と判断された給紙段を代替の給紙段として選択可能に制御する制御手段と、
を備えることを特徴とする印刷装置。
【請求項２】  用紙に対して所定の処理を施して印刷することが可能な印刷部と、前記印刷部へ給紙する用紙が装着される複数の給紙段と、現在使用中の給紙段から用紙が無くなったことを検出する用紙無し検出手段とを備えた印刷装置において、
前記各給紙段にどのような種類の用紙が装着されているかを記録した用紙種記録手段と、
用紙の種類とその用紙に対して施すことのできる処理との関係を記録した処理可否記録手段と、
前記用紙種記録手段と前記処理可否記録手段から得た情報を基に、どの給紙段に装着されている用紙に対してなら前記所定の処理を実行できるかを判断する処理可否判断手段と、
現在使用中の給紙段の用紙無し状態を前記用紙無し検出手段が検出した場合に、前記処理可否判断手段により前記所定の処理を実行できると判断された給紙段を、代替の給紙段として選択可能に制御する制御手段と、を備えることを特徴とする印刷装置。
【請求項３】  更に、印刷に関する情報を表示する表示部と、
前記処理可否判断手段により前記所定の処理を実行できると判断された給紙段に関する給紙段情報を前記表示部に表示させる給紙段表示手段と、を備え、
前記制御手段は、前記表示部に表示された給紙段情報の中から前記代替の給紙段を選択することを可能に制御することを特徴とする請求項１または請求項２のいずれか１項に記載の印刷装置。
【請求項４】  更に、ユーザによる印刷に関する操作を受け付ける操作部を備え、
前記制御手段は、前記代替の給紙段として、前記表示部に表示された給紙段情報の中から、前記操作部を介して前記ユーザにより選択させることを特徴とする、請求項３に記載の印刷装置。
【請求項５】  前記制御手段は、前記処理可否判断手段が、前記所定の処理を実行可能な用紙が前記複数の給紙段のいずれにも装填されていないと判断した場合、印刷処理を中断することを特徴とする請求項１乃至請求項４のいずれか１項に記載の印刷装置。
【請求項６】  前記処理可否記録手段に記録されている用紙の種類として、用紙の質及び／又は用紙のサイズを用いることを特徴とする請求項１乃至請求項５のいずれか１項に記載の印刷装置。
【請求項７】  前記処理可否記録手段に記録されている用紙に対して施すことのできる処理として、ステープル、パンチ及び／又は両面印刷が記録されていることを特徴とする請求項１乃至請求項６のいずれか１項に記載の印刷装置。
【請求項８】  画像情報に基づき用紙上に印刷を行うとともに、指定された印刷モードで特定される処理を前記用紙に対して行う印刷部と、前記印刷部へ給紙する用紙が装填される複数の給紙段と、前記複数の給紙段のそれぞれに装填されている用紙の種類を示す情報を記録した用紙種記録手段と、を備える印刷装置の制御方法であって、
前記用紙種記録手段から得た情報を基に、前記印刷モードで指定される処理をどの給紙段に装填されている用紙に対して実行できるかを判断する処理可否判断工程と、
現在使用中の給紙段が用紙無しになった場合に、前記処理可否判断工程において前記印刷モードで指定される処理を実行可能と判断された給紙段を代替の給紙段として選択可能に制御する制御工程と、
を備えることを特徴とする制御方法。
【請求項９】  用紙に対して所定の処理を施して印刷することが可能な印刷部と、前記印刷部へ給紙する用紙が装着される複数の給紙段と、現在使用中の給紙段から用紙が無くなったことを検出する用紙無し検出手段と、前記各給紙段にどのような種類の用紙が装着されているかを記録した用紙種記録手段と、用紙の種類とその用紙に対して施すことのできる処理との関係を記録した処理可否記録手段とを備えた印刷装置の制御方法であって、
前記用紙種記録手段と前記処理可否記録手段から得た情報を基に、どの給紙段に装着されている用紙に対してなら前記所定の処理を実行できるかを判断する処理可否判断工程と、
現在使用中の給紙段の用紙無し状態を前記用紙無し検出手段が検出した場合に、前記処理可否判断工程において前記所定の処理を実行できると判断された給紙段を、代替の給紙段として選択可能に制御する制御工程と、を備えることを特徴とする制御方法。
【請求項１０】  請求項８または請求項９の制御方法を印刷装置に実行させるための制御プログラムを格納した記憶媒体。
【手続補正３】
【補正対象書類名】明細書
【補正対象項目名】０００１
【補正方法】変更
【補正の内容】
【０００１】
【発明の属する技術分野】
本発明は、印刷処理を行う際に、印刷した用紙に対して何らかの処理を施すことが可能な印刷装置及びその制御方法、並びに前記制御方法を印刷装置に実行させるための制御プログラムを格納した記憶媒体に関するものである。
【手続補正４】
【補正対象書類名】明細書
【補正対象項目名】０００６
【補正方法】変更
【補正の内容】
【０００６】
本発明は上記従来の問題点に鑑み、現在使用中の給紙カセットから用紙が無くなったことで印刷処理が一時中断した状態のときに、ユーザが他の給紙カセットを選んで印刷を継続させるに際し、然るべき加工処理が実行できる用紙が装着されたカセットを選択することができる印刷装置、制御方法、及び記憶媒体を提供することを目的とする。
【手続補正５】
【補正対象書類名】明細書
【補正対象項目名】０００７
【補正方法】変更
【補正の内容】
【０００７】
【課題を解決するための手段】
上記目的を達成するために、本発明の印刷装置は、画像情報に基づき用紙上に印刷を行うとともに、指定された印刷モードで特定される処理を前記用紙に対して行う印刷部と、前記印刷部へ給紙する用紙が装填される複数の給紙段と、前記複数の給紙段のそれぞれに装填されている用紙の種類を示す情報を記録した用紙種記録手段と、前記用紙種記録手段から得た情報を基に、前記印刷モードで指定される処理をどの給紙段に装填されている用紙に対して実行できるかを判断する処理可否判断手段と、現在使用中の給紙段が用紙無しになった場合に、前記処理可否判断手段により前記印刷モードで指定される処理を実行可能と判断された給紙段を代替の給紙段として選択可能に制御する制御手段と、を備えることを特徴とする。
また、本発明の印刷装置は、用紙に対して所定の処理を施して印刷することが可能な印刷部と、前記印刷部へ給紙する用紙が装着される複数の給紙段と、現在使用中の給紙段から用紙が無くなったことを検出する用紙無し検出手段とを備えた印刷装置において、前記各給紙段にどのような種類の用紙が装着されているかを記録した用紙種記録手段と、用紙の種類とその用紙に対して施すことのできる処理との関係を記録した処理可否記録手段と、前記用紙種記録手段と前記処理可否記録手段から得た情報を基に、どの給紙段に装着されている用紙に対してなら前記所定の処理を実行できるかを判断する処理可否判断手段と、現在使用中の給紙段の用紙無し状態を前記用紙無し検出手段が検出した場合に、前記処理可否判断手段により前記所定の処理を実行できると判断された給紙段を、代替の給紙段として選択可能に制御する制御手段と、を備えることを特徴とする。
また、本発明の制御方法は、画像情報に基づき用紙上に印刷を行うとともに、指定された印刷モードで特定される処理を前記用紙に対して行う印刷部と、前記印刷部へ給紙する用紙が装填される複数の給紙段と、前記複数の給紙段のそれぞれに装填されている用紙の種類を示す情報を記録した用紙種記録手段と、を備える印刷装置の制御方法であって、前記用紙種記録手段から得た情報を基に、前記印刷モードで指定される処理をどの給紙段に装填されている用紙に対して実行できるかを判断する処理可否判断工程と、現在使用中の給紙段が用紙無しになった場合に、前記処理可否判断工程において前記印刷モードで指定される処理を実行可能と判断された給紙段を代替の給紙段として選択可能に制御する制御工程と、を備えることを特徴とする。
また、本発明の制御方法は、用紙に対して所定の処理を施して印刷することが可能な印刷部と、前記印刷部へ給紙する用紙が装着される複数の給紙段と、現在使用中の給紙段から用紙が無くなったことを検出する用紙無し検出手段と、前記各給紙段にどのような種類の用紙が装着されているかを記録した用紙種記録手段と、用紙の種類とその用紙に対して施すことのできる処理との関係を記録した処理可否記録手段とを備えた印刷装置の制御方法であって、前記用紙種記録手段と前記処理可否記録手段から得た情報を基に、どの給紙段に装着されている用紙に対してなら前記所定の処理を実行できるかを判断する処理可否判断工程と、現在使用中の給紙段の用紙無し状態を前記用紙無し検出手段が検出した場合に、前記処理可否判断工程において前記所定の処理を実行できると判断された給紙段を、代替の給紙段として選択可能に制御する制御工程と、を備えることを特徴とする。
また、本発明の記憶媒体は、上記制御方法を印刷装置に実行させるための制御プログラムを格納したことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】０１４０
【補正方法】変更
【補正の内容】
【０１４０】
【発明の効果】
本発明によれば、現在使用中の給紙段から用紙が無くなった場合に、印刷を継続させるために、加工処理を施すことのできる用紙がセットされている給紙段を選択可能にする。これにより、加工処理を施すことの出来ない不適切な用紙を選択してしまい、正しく印刷を継続することができなくなることを防ぐことができる。
【手続補正３７】
【補正対象書類名】明細書
【補正対象項目名】０１４１
【補正方法】削除
【補正の内容】
【手続補正３８】
【補正対象書類名】明細書
【補正対象項目名】０１４２
【補正方法】削除
【補正の内容】
【手続補正３９】
【補正対象書類名】明細書
【補正対象項目名】０１４３
【補正方法】削除
【補正の内容】
【手続補正４０】
【補正対象書類名】明細書
【補正対象項目名】０１４４
【補正方法】削除
【補正の内容】
【手続補正４１】
【補正対象書類名】明細書
【補正対象項目名】０１４５
【補正方法】削除
【補正の内容】
【手続補正４２】
【補正対象書類名】明細書
【補正対象項目名】０１４６
【補正方法】削除
【補正の内容】
【手続補正４３】
【補正対象書類名】明細書
【補正対象項目名】０１４７
【補正方法】削除
【補正の内容】
【手続補正４４】
【補正対象書類名】明細書
【補正対象項目名】０１４８
【補正方法】削除
【補正の内容】
【手続補正４５】
【補正対象書類名】明細書
【補正対象項目名】０１４９
【補正方法】削除
【補正の内容】
【手続補正４６】
【補正対象書類名】明細書
【補正対象項目名】０１５０
【補正方法】削除
【補正の内容】
【手続補正４７】
【補正対象書類名】明細書
【補正対象項目名】０１５１
【補正方法】削除
【補正の内容】
【手続補正４８】
【補正対象書類名】明細書
【補正対象項目名】０１５２
【補正方法】削除
【補正の内容】
【手続補正４９】
【補正対象書類名】明細書
【補正対象項目名】０１５３
【補正方法】削除
【補正の内容】
【手続補正５０】
【補正対象書類名】明細書
【補正対象項目名】０１５４
【補正方法】削除
【補正の内容】
【手続補正５１】
【補正対象書類名】明細書
【補正対象項目名】０１５５
【補正方法】削除
【補正の内容】
【手続補正５２】
【補正対象書類名】明細書
【補正対象項目名】０１５６
【補正方法】削除
【補正の内容】
【手続補正５３】
【補正対象書類名】明細書
【補正対象項目名】０１５７
【補正方法】削除
【補正の内容】
【手続補正５４】
【補正対象書類名】明細書
【補正対象項目名】０１５８
【補正方法】削除
【補正の内容】
【手続補正５５】
【補正対象書類名】明細書
【補正対象項目名】０１５９
【補正方法】削除
【補正の内容】
【手続補正５６】
【補正対象書類名】明細書
【補正対象項目名】０１６０
【補正方法】削除
【補正の内容】
【手続補正５７】
【補正対象書類名】明細書
【補正対象項目名】０１６１
【補正方法】削除
【補正の内容】
【手続補正５８】
【補正対象書類名】明細書
【補正対象項目名】０１６２
【補正方法】削除
【補正の内容】
【手続補正５９】
【補正対象書類名】明細書
【補正対象項目名】０１６３
【補正方法】削除
【補正の内容】
【手続補正６０】
【補正対象書類名】明細書
【補正対象項目名】０１６４
【補正方法】削除
【補正の内容】
【手続補正６１】
【補正対象書類名】明細書
【補正対象項目名】０１６５
【補正方法】削除
【補正の内容】
【手続補正６２】
【補正対象書類名】明細書
【補正対象項目名】０１６６
【補正方法】削除
【補正の内容】
【手続補正６３】
【補正対象書類名】明細書
【補正対象項目名】０１６７
【補正方法】削除
【補正の内容】
【手続補正６４】
【補正対象書類名】明細書
【補正対象項目名】０１６８
【補正方法】削除
【補正の内容】
【手続補正６５】
【補正対象書類名】明細書
【補正対象項目名】０１６９
【補正方法】削除
【補正の内容】
【手続補正６６】
【補正対象書類名】明細書
【補正対象項目名】０１７０
【補正方法】削除
【補正の内容】